(57)【要約】本発明は、背筋の運動を行う装置であって、椅子座部（１）と、足板（３）に留め付けられたロッド（２）とを有する装置に関する。足板（３）は、減衰手段（５）によって包囲された傾動手段（４）に配置されている。減衰手段（５）は、留め手段（６）によって留め付けられた底板（７）上に載置することができる。減衰手段（５）を包囲して、足板（３）に留め付けられる布を、底板（７）及び留め手段（６）の代わりに用いることができる。さらに、ロッド（２）が伸縮式であることが好都合である。傾動手段（４）は、円形の横断面を有し、下向きの円錐形にすることができる。傾動手段（４）上に位置する減衰手段（５）は、可撓性材料からなり、傾動手段の移動の減衰を助けることができる留め手段（６）によって足板（３）に留め付けることができる。
2005503218.tif 000002
【特許請求の範囲】
【請求項１】
少なくとも１本のロッド（２）によって留め付けられた椅子座部（１）と、さらに傾動手段（４）とを有する背筋運動装置であって、
前記椅子座部（１）は、前記ロッド（２）によって足板（３）に留め付けられており、
前記傾動手段（４）は、前記足板（３）に留め付けられており、
前記傾動手段（４）は、減衰手段（５）に配置されていることを特徴とする背筋運動装置。
【請求項２】
前記座部（１）及び前記足板（３）間の距離は、垂直方向に調整可能であることを特徴とする請求項１に記載の背筋運動装置。
【請求項３】
前記ロッド（２）は伸縮式であることを特徴とする請求項２に記載の背筋運動装置。
【請求項４】
前記傾動手段（４）は、円形の横断面を有し、下向きの円錐形であることを特徴とする請求項１に記載の背筋運動装置。
【請求項５】
前記減衰手段（５）の、少なくとも前記傾動手段（４）上に位置する部分は、可撓性材料からなることを特徴とする請求項１に記載の背筋運動装置。
【請求項６】
前記傾動手段（４）は、前記足板（３）及び底板（７）に固定された留め手段（６）に配置されていることを特徴とする請求項１に記載の背筋運動装置。
【請求項７】
前記減衰手段（５）は、前記傾動手段（４）の移動の減衰を助ける得るばねの形にすることができる少なくとも２つの留め手段（６）によって前記足板（３）及び前記底板（７）に留め付けられることを特徴とする請求項１に記載の背筋運動装置。
【請求項８】
前記減衰手段（５）は、該減衰手段（５）を前記足板（３）に留め付ける布によって包囲されていることを特徴とする請求項１に記載の背筋運動装置。
【発明の詳細な説明】
【技術分野】
【０００１】
本発明は、背筋の運動を行う装置に関する。
【０００２】
かなり多くの人が背中に問題を抱えており、最もよくある理由は、仕事中に着座しており、一般的にほとんど運動をしておらず、その結果、背筋を鍛えて脊柱の必要な支持を行うことがなされていないことである。着座中の悪い姿勢も、さまざまな背中の問題を生じるであろう。
【０００３】
幾つかのトレーニング装置及び器具が存在するが、主に背筋のトレーニング用のものはほとんどない。英国特許第ＧＢ１，５４１，２８８号から、高さが調節可能で、球形体の真上に載っている背もたれ付き座部を有する一種のエルゴメータ自転車が知られている。したがって、座部に転動及び傾斜運動を加えることができる。装置の使用者は、自転車に似た装置の前部のペダルに足を載せることになっている。この装置は幾つかの他の手段を有し、したがって、複雑であると共に高価である。
【０００４】
使用者に傾斜運動を与えることができる他の装置も知られている。したがって、独国特許公報第ＤＥ１，９８３，７９６３Ａ１号から、フレーム内の軸受けに載った半球形装置が知られている。半球体上に剛性のある保持ラックを留め付けることができる。半球体の下部分に、フレームの側縁部に固定されたバンドを留め付けることができる。バンドは、上記半球体の移動を幾分減衰するであろう。これは、直立した状態でのバランスのトレーニング用の装置である。しかし、この装置は、背筋の効果的なトレーニングには適していないであろう。
【０００５】
下板の上に載せた上板に半球体を留め付けた同様の装置が、米国特許第５，６１３，６９０号から知られている。２枚の正方形板は、各隅部に１つずつ置いたばねによって互いに留め合わされている。バランストレーニングを最適化できるように動きを記録するために、装置がコンピュータに接続されている。この装置も、背筋の効果的なトレーニングには適していないであろう。
【０００６】
本発明の主たる目的は、背筋のトレーニング及びすでに存在する障害の治療を行う簡単で低価格の装置に到達することであった。本装置は、小型で適応性がなければならない。本装置が背中の運動を行うと同時に、人が腰掛けて可能な仕事を行うことができなければならない。
【０００７】
当該分野の従来装置と、より一般的なトレーニング及び運動装置とを調査したところ、本発明者は、背中に問題を抱える人の多くが、一日のほとんどを腰掛けているため、使用者が運動中に腰掛けなければならないことがわかった。その場合、背中の筋肉に関係する傾斜運動を開始し、それによって腰掛けた状態で筋系を強化しなければならない。
【０００８】
本装置は、背中の運動用の特殊な椅子である。椅子に腰掛けている人は、バランスを保つ必要があり、それにより、脊柱の筋肉の運動を行う。椅子座部１に腰掛けて足を足板３に載せた状態で、人は機能部材４、５、６及び７によってバランスをとっている。
【０００９】
装置の説明に関連させて、本発明をさらに説明及び考察する。
【００１０】
図１及び図２は、椅子座部１と、底板３に連結された伸縮ロッド２とを示す。足板３は、減衰手段５によって包囲された傾動手段４に配置されている(arranged to a tilting means 4)。減衰手段５は、留め手段６で固定された底板７上に載置することができる。
【００１１】
図３は、本発明の別の実施形態を示しており、底板７及び留め手段６の代わりに、布が減衰手段５を包囲して、足板３に固定されている。この場合、底板３及び布８によって画定された体積部分に減衰手段５を満たすことができる。図示のように、椅子の底縁部にわずかに丸みが付けられている。４Ａは、傾動手段の表面を示す。この表面は、球形または略球形のいずれかにすることができるが、下面に丸みを付けた円錐台形で形成してもよい。
【００１２】
椅子座部１は、垂直方向に調節可能で、好ましくは円形にする。椅子座部１はまた、少なくとも１本のロッド、たとえば、伸縮ロッド２によって足板３に固定されている。伸縮ロッド２により、椅子座部１及び足板３間の距離を調整して、椅子に腰掛ける人に合わせることができる。好ましくは円形である底板３は、椅子に腰掛ける人が脚を足板３上に容易に固定することができるような寸法にすべきである。
【００１３】
傾動手段４は足板３に留め付けられている。傾動手段４は、下向きの円錐形、たとえば半球形にすることができ、好ましくは、固形材料、たとえば、ポリマー材料で形成される。傾動手段４の他の適当な形状も適用することができる。たとえば、下向きに湾曲した形状、たとえば、凸状にすることができるであろう。傾動手段４の直径は、足板３の直径以下にすべきである。
【００１４】
傾動手段４は、減衰手段５以上の大きさである底板７に載置されている。底板７は好ましくは、その下側に移動補助手段、たとえば、車輪を備えている。底板７は、足板３に固定された布の形にすることもできる。
【００１５】
減衰手段５が、足板３、傾動手段４及び底板７間の空間を満たしている。減衰手段５は、バランスを保つことができるように椅子を安定させるものとする。減衰手段５は、たとえば、発泡ポリマー材料や他の種類のポリマー材料などの可撓性材料、空気または液体で構成することができる。必要に応じて減衰を調節できるように、減衰手段５を調節可能にすることができる。
【００１６】
減衰手段５及び留め手段６の組み合わせが、底板７を足板３に固定している。減衰手段５及び留め手段６の組み合わせは、たとえば、弾力性または弾性を有することができ、それにより、傾動手段４の移動の減衰を助けることができる。
【００１７】
本発明の特徴は、装置が、少なくとも１本のロッドによって足板に留め付けられている椅子座部を有することである。座部及び足板間の距離は、垂直方向に調整可能である。傾動手段は、足板に固定され、留め手段に配置されている。
【００１８】
さらに、ロッドが伸縮式であることが好都合である。
【００１９】
好ましくは、傾動手段は、円形の横断面と、下向きの円錐形を有する。傾動手段に対して位置する減衰手段は、好ましくは可撓性材料からなる。
【００２０】
傾動手段は、足板及び底板に固定された留め手段に配置されることができる。
【００２１】
減衰手段は、傾動手段の移動の減衰を助けることができるばねの形にすることができる少なくとも２つの留め手段を用いて足板に留め付けられることができる。
【００２２】
減衰手段は、留め手段と共に足板に固定された底板に配置されることができる。
【００２３】
減衰手段は、減衰手段を足板に留め付ける布によって包囲されることができ、布は、底板と留め手段の両方の働きをする。
【００２４】
本発明により、本発明者は、簡単であると共に低価格の装置に到達するのに成功した。試験で、使用者が椅子にしっかりと腰掛けながら、背筋の優れた運動を行うことができることがわかった。
【図面の簡単な説明】
【００２５】
【図１】本発明に従った装置の斜視図である。
【図２】本発明の１つの実施形態の立面図である。
【図３】本発明の第２実施形態を示す図である。
【国際公開パンフレット】
2005503218.tif 000003
2005503218.tif 000004
2005503218.tif 000005
2005503218.tif 000006
2005503218.tif 000007
2005503218.tif 000008
2005503218.tif 000009
2005503218.tif 000010
2005503218.tif 000011
2005503218.tif 000012
2005503218.tif 000013
【手続補正書】
【提出日】平成15年8月25日(2003.8.25)
【手続補正１】
【補正対象書類名】特許請求の範囲
【補正対象項目名】全文
【補正方法】変更
【補正の内容】
【特許請求の範囲】
【請求項１】
少なくとも１本のロッド（２）によって留め付けられた椅子座部（１）と、さらに傾動手段（４）とを有する背筋運動装置であって、
前記椅子座部（１）は、前記ロッド（２）によって足板（３）に留め付けられており、
前記傾動手段（４）は、前記足板（３）に留め付けられており、
前記傾動手段（４）は、可撓性材料からなる減衰手段（５）に包囲されている背筋運動装置。
【請求項２】
前記座部（１）及び前記足板（３）間の距離は垂直方向に調整可能である請求項１に記載の背筋運動装置。
【請求項３】
前記ロッド（２）は伸縮式である請求項１に記載の背筋運動装置。
【請求項４】
前記傾動手段（４）は、円形の横断面を有し、下向きの円錐形である請求項１に記載の背筋運動装置。
【請求項５】
前記傾動手段（４）は、前記足板（３）及び底板（７）に固定された留め手段（６）に配置されている請求項１に記載の背筋運動装置。
【請求項６】
前記減衰手段（５）は、前記傾動手段（４）の移動の減衰を助け得るばねの形にすることができる少なくとも２つの留め手段（６）によって前記足板（３）及び前記底板（７）に留め付けられる請求項１に記載の背筋運動装置。
【請求項７】
前記減衰手段（５）は、該減衰手段（５）を前記足板（３）に留め付ける布によって包囲されている請求項１に記載の背筋運動装置。
【国際調査報告】
2005503218.tif 000014
2005503218.tif 000015